(57)【要約】  包装箱が提供される。箱はベースと側壁とを有する。ベース及び側壁は、製品を収容するための空間を一緒に定める。側壁のうち少なくとも１つは延長部分を有する。延長部分はそれぞれの側壁の縁部から延在する。延長部分は閉ループへと湾曲される。そのため、延長部分はサポートを形成する。サポートはベースから延在する。サポートは空間の頂部へと延在する。延長部分は、処理によって側壁の別の部分から差別化される。処理は、延長部分を、側壁の他の部分よりも、曲げられるときにより滑らかに湾曲させるようになっている。包装箱を形成するためのブランク材、ブランク材を箱へと形成するための方法、及び、方法を実施するための機械装置も提供される。
2018521910.tif 000002
【特許請求の範囲】
【請求項１】
ベース及び側壁を有している包装箱であって、前記ベース及び前記側壁が共に、製品を収容するための空間を規定している、前記包装箱において、
前記側壁のうち少なくとも１つの側壁が、前記側壁それぞれの縁部から延在している延長部分を有しており、
前記延長部分が、前記ベースから前記空間の頂部に延在しているサポートを形成するために、閉ループを形成するように湾曲されており、
前記延長部分が、屈曲される場合に前記延長部分を前記側壁の他の部分より滑らかに湾曲させるための処理によって、前記側壁の別の部分から差別化される、包装箱。
【請求項２】
前記包装箱は単一の連続的なブランク材から形成される、請求項１に記載の包装箱。
【請求項３】
前記包装箱は、前記空間を少なくとも部分的に覆うように、及び、前記延長部分と接触するように、前記側壁のうち少なくとも１つから延在する蓋部分を有する、請求項１又は２に記載の包装箱。
【請求項４】
前記包装箱が、両面段ボール紙から形成されている、請求項１から３のいずれか一項に記載の包装箱。
【請求項５】
前記処理が、前記両面段ボール紙の隣接する波形同士の間に延伸している切り込みを前記両面段ボール紙の一方の面に形成することを含んでいる、請求項４に記載の包装箱。
【請求項６】
切り込みの数が、少なくとも４つである、請求項５に記載の包装箱。
【請求項７】
前記処理は、液体を前記延長部分に適用することを含む、請求項１から３のいずれか一項に記載の包装箱。
【請求項８】
前記液体は、水、グリセロール、又は他の柔軟剤を含む、請求項７に記載の包装箱。
【請求項９】
前記閉ループは、前記閉ループの少なくとも一部において、前記延長部分の少なくとも二重層を形成する、請求項１から８のいずれか一項に記載の包装箱。
【請求項１０】
前記少なくとも１つの側壁以外の隣接する側壁が、前記湾曲された延長部分の外部に圧し掛かって追従するように湾曲される湾曲部分を有する、請求項１から９のいずれか一項に記載の包装箱。
【請求項１１】
ベース及び側壁を有している包装箱を形成するための連続的なブランク材であって、前記ベース及び前記側壁が共に、製品を収容するための空間を形成している、前記ブランク材において、
前記ブランク材は、基部と、折り曲げ線に沿って前記基部に接続されている側壁部分とを有しており、
前記側壁部分のうち少なくとも１つの側壁部分が、前記側壁部分それぞれの縁部から前記基部の隣接する縁部を越えて延在している延長部分を有しており、
前記延長部分が、前記側壁部分と前記基部との間の前記折り曲げ線から離隔するように前記側壁部分の長さを延長させるサポートを形成するために、閉ループを形成するように湾曲可能とされるのに十分な長さとされ、
前記延長部分が、屈曲される場合に前記延長部分を前記側壁の他の部分より滑らかに湾曲させるための処理によって、前記側壁部分の別の部分から差別化される、連続的なブランク材。
【請求項１２】
前記少なくとも１つの側壁と前記延長部分との間に折り曲げ線がない、請求項１１に記載の連続的なブランク材。
【請求項１３】
前記ブランク材が、前記側壁部分のうち一の側壁部分から延在している蓋部分を有しており、
前記蓋部分が、前記基部に接続されている前記側壁部分の縁部の反対側に位置する、前記側壁部分の縁部において、折り曲げ線を介して前記側壁部分それぞれに接続されている、請求項１１又は１２に記載の連続的なブランク材。
【請求項１４】
前記ブランク材は両面段ボール紙から形成される、請求項１１から１３のいずれか一項に記載の連続的なブランク材。
【請求項１５】
前記処理は、前記両面段ボール紙の一方の面に、前記両面段ボール紙の隣接する波形同士の間で延びる切り込みで、切り込みを入れることを含む、請求項１４に記載の連続的なブランク材。
【請求項１６】
切り込みの数が、少なくとも４つである、請求項１５に記載の連続的なブランク材。
【請求項１７】
前記処理は、液体を前記延長部分に適用することを含む、請求項１１から１３のいずれか一項に記載の連続的なブランク材。
【請求項１８】
前記液体は、水、グリセロール、又は他の柔軟剤を含む、請求項１７に記載の連続的なブランク材。
【請求項１９】
前記延長部分は、前記閉ループの少なくとも一部において、前記延長部分の少なくとも二重層を形成するだけの十分な長さのものである、請求項１１から１８のいずれか一項に記載の連続的なブランク材。
【請求項２０】
前記少なくとも１つの側壁への隣接する側壁部分が、前記湾曲された延長部分の外部に圧し掛かって追従するために湾曲部分を形成するように曲げることができる、請求項１１から１９のいずれか一項に記載の連続的なブランク材。
【請求項２１】
ベース及び側壁を有している包装箱を連続的なブランク材から形成する方法であって、前記ベース及び前記側壁が共に、製品を収容するための空間を規定している、前記方法において、
前記ブランク材が、基部と、折り曲げ線に沿って前記基部に接続されている側壁部分とを有しており、
前記側壁部分のうち少なくとも１つの側壁部が、前記側壁部分それぞれの縁部から前記基部の隣接する縁部を越えて延在している延長部分を有しており、
前記延長部分が、前記側壁部分と前記基部との間の前記折り曲げ線から離隔するように前記側壁部分の長さを延長させるサポートを形成するために、閉ループを形成するように湾曲可能とされるのに十分な長さとされ、
前記方法が、
屈曲される場合に前記延長部分を前記側壁の他の部分より滑らかに湾曲させるための処理によって、前記延長部分を前記側壁部分の別の部分から差別化するステップと、
閉ループを形成するために前記延長部分を巻回するステップと、
前記閉ループを固定するステップと、
前記側壁を形成するために前記側壁部分を立ち上げるステップと、
前記空間を規定するために前記側壁を前記基部に対して固定するステップと、
を含んでいる方法。
【請求項２２】
前記少なくとも１つの側壁と前記延長部分との間に形成される折りがない、請求項２１に記載の方法。
【請求項２３】
前記ブランク材は、前記側壁部分のうち１つから延在する蓋部分を有し、前記蓋部分は、前記基部に接続される前記側壁部分の縁部の反対の前記側壁部分の前記縁部において、折り曲げ線によってそれぞれの前記側壁部分に接続され、前記方法は、前記空間を少なくとも部分的に包囲するために、前記側壁部分に対して前記蓋部分を折るステップを含む、請求項２１又は２２に記載の方法。
【請求項２４】
前記ブランク材は両面段ボール紙から形成される、請求項２１から２３のいずれか一項に記載の方法。
【請求項２５】
前記処理は、前記両面段ボール紙の一方の面に、前記両面段ボール紙の隣接する波形同士の間で延びる切り込みで、切り込みを入れることを含む、請求項２４に記載の方法。
【請求項２６】
切り込みの数が、少なくとも４つである、請求項２５に記載の方法。
【請求項２７】
前記処理は、液体を前記延長部分に適用することを含む、請求項２１から２３のいずれか一項に記載の方法。
【請求項２８】
前記液体は、水、グリセロール、又は他の柔軟剤を含む、請求項２７に記載の方法。
【請求項２９】
前記延長部分は、前記閉ループの少なくとも一部において、前記延長部分の少なくとも二重層を形成する、請求項２１から２８のいずれか一項に記載の方法。
【請求項３０】
前記少なくとも１つの側壁への隣接する側壁部分が、前記湾曲された延長部分の外部に圧し掛かって追従するために湾曲部分を形成するように曲げられ、前記方法は、前記湾曲部分を前記湾曲された延長部分の前記外部に固定するステップを含む、請求項２１から２９のいずれか一項に記載の方法。
【請求項３１】
ベース及び側壁を有している包装箱を連続的なブランク材から形成するための機械装置であって、前記ベース及び前記側壁が共に、製品を収容するための空間を規定している、前記機械装置において、
前記ブランク材が、基部と、折り曲げ線に沿って前記基部に接続されている側壁部分とを有しており、
前記側壁部分のうち少なくとも１つの側壁部分が、前記側壁部分それぞれの縁部から前記基部の隣接する縁部を越えて延在している延長部分を有しており、
前記延長部分は、前記側壁部分と前記基部との間の前記折り曲げ線から離隔するように前記側壁部分の長さを延長させるサポートを形成するために、閉ループを形成するように湾曲可能とされるのに十分な長さとされ、
前記延長部分が、屈曲された場合に前記延長部分を前記側壁の他の部分より滑らかに湾曲させるための処理によって、前記側壁部分の別の部分から差別化され、
前記機械装置が、
前記ブランク材の縦方向において平面的な初期位置から折り曲げ領域に前記ブランク材の前記基部を並進させるための並進手段と、
閉ループを形成するために少なくとも１つの前記延長部分を巻回するために、平面的な前記初期位置に配置されている巻回手段と、
前記延長部分が巻回された場合に前記閉ループに固定されるように、固定媒体を前記延長部分に適用するように配置されている固定手段と、
前記基部が前記ブランク材の縦方向において並進するに従って前記基部に対して前記側壁を折り曲げることによって前記空間を規定するように構成されている、前記折り曲げ領域を囲んでいる折り曲げガイドと、
を含んでいる機械装置。
【請求項３２】
前記並進手段は少なくとも１つの把持部を備える、請求項３１に記載の機械装置。
【請求項３３】
前記空間を少なくとも部分的に包囲するために、前記側壁部分に対して蓋部分を折るための、前記折り曲げ領域の上方に配置される折り手段をさらに備え、前記蓋部分は、前記側壁部分のうち１つから延在し、前記基部に接続される前記側壁部分の縁部の反対の前記側壁部分の前記縁部において、折り曲げ線によってそれぞれの前記側壁部分に接続される、請求項３１又は３２に記載の機械装置。
【請求項３４】
前記巻回手段は、前記初期位置において前記延長部分と係合するために、及び、第１の位置から第２の位置へと並進し、同時に、回転して前記延長部分を閉ループへと巻くために、前記初期位置の平面に配置される巻回フォークを備える、請求項３１から３３のいずれか一項に記載の機械装置。
【請求項３５】
前記固定手段は、接着剤を前記延長部分へと分配するための接着剤分配装置を備える、請求項３４に記載の機械装置。
【請求項３６】
前記接着剤分配装置は、前記延長部分における一連の異なる位置に接着剤を適用するように、前記巻回手段と共に並進するように配置される、請求項３５に記載の機械装置。
【請求項３７】
前記巻回手段はラックアンドピニオンを備え、前記巻回フォークは前記ラックアンドピニオンに接続され、ピニオンは、前記巻回フォークを同時に並進及び回転させるために、ラックに沿って並進可能である、請求項３４から３６のいずれか一項に記載の機械装置。
【請求項３８】
前記巻回フォークは、前記延長部分との係合へと、及び、前記延長部分との係合から、連続的となるように、前記巻回手段の並進方向と平行な方向で変位可能である、請求項３７に記載の機械装置。
【請求項３９】
巻く前記巻回フォークは、前記第１の位置から前記第２の位置へと並進するとき、１回の完全な回転より多く行うように配置される、請求項３４から３８のいずれか一項に記載の機械装置。
【請求項４０】
前記並進手段は、前記ブランク材の前記基部を、前記折り曲げ領域からブランク材の縦方向において取り外し領域へとさらに並進するように構成され、組み立てられた箱を前記取り外し領域から離して運搬することができる運搬手段が、前記取り外し領域に設けられる、請求項３１から３９のいずれか一項に記載の機械装置。
【発明の詳細な説明】
【技術分野】
【０００１】
本発明は、包装箱に関し、詳細には、積み重ねられるときに向上された強度を提供する包装箱に関する。本発明は、包装箱を形成するための連続的なブランク材、ブランク材を包装箱へと形成するための方法、及び、ブランク材から包装箱を形成するための機械装置にも関する。
【背景技術】
【０００２】
例えば段ボール箱又は厚紙箱といった従来の包装箱は、典型的には、それぞれ２対の相対する側壁と上壁及び底壁の各々とである６つの矩形状又は正方形状の面を有し、包装される品物を収容するための内部空洞を定める「レンガ形」と呼ばれることもある矩形状の角柱の形態である。
【０００３】
このような包装箱は、外部の変形に対するその強度を、加えられる力に対する箱の壁の固有の強度と、状況によっては、内側から箱の壁を支持するように包装される物体の能力とに依存する。包装される品物がそれ自体損傷しやすい場合、箱の壁への内部支持を提供するために、及び、包装された品物が箱の内部で動き回るのを防止するために、箱の内側に間隔保持材料を設けることが知られている。
【０００４】
内部の変形に対して箱を強化するために、このような箱の内側に内部支持構造を提供することが以前に提案されている。このような構造は、箱の相対する壁同士の間に配置される支柱の形態を取り得る。しかしながら、このような構成は、典型的には組み立てるのが難しく、また、包装する品物にとって利用可能な箱の容積を制限する可能性がある。したがって、外部の変形に対して向上された強度を有する改良された包装箱への要求がある。また、箱が形成され得る改良されたブランク材への要求も、ブランク材を箱へと組み立てるための改良された方法及び機械装置への要求と共にある。
【先行技術文献】
【特許文献】
【０００５】
【特許文献１】ＷＯ２０１３／０１２３６２Ａ１
【発明の概要】
【発明が解決しようとする課題】
【０００６】
第１の態様によれば、包装箱が提供される。箱はベースと側壁とを有する。ベース及び側壁は、製品を収容するための空間を一緒に定める。側壁のうち少なくとも１つは延長部分を有する。延長部分はそれぞれの側壁の縁部から延在する。延長部分は閉ループへと湾曲される。そのため、延長部分はサポートを形成する。サポートはベースから延在する。サポートは空間の頂部へと延在する。延長部分は、処理によって側壁の別の部分から差別化される。処理は、延長部分を、側壁の他の部分よりも、曲げられるときにより滑らかに湾曲させるようになっている。
【課題を解決するための手段】
【０００７】
一実施形態では、箱は単一の連続的なブランク材から形成される。
【０００８】
一実施形態では、箱は蓋部分を有する。蓋部分は、側壁のうち少なくとも１つから延在する。蓋部分は、空間を少なくとも部分的に覆うようになっている。蓋部分は延長部分と接触する。
【０００９】
一実施形態では、箱は両面段ボール紙から形成される。
【００１０】
一実施形態では、処理は、両面段ボール紙の一方の面に切り込みで切り込みを入れることを含む。切り込みは、段ボール紙の隣接する波形同士の間で延びる。
【００１１】
一実施形態では、切り込みの数は少なくとも４である。
【００１２】
一実施形態では、処理は、延長部分に適用される液体を含む。
【００１３】
一実施形態では、液体は、水、グリセロール、又は他の柔軟剤を含む。
【００１４】
一実施形態では、閉ループは、輪の少なくとも一部において、延長部分の少なくとも二重層を形成する。
【００１５】
一実施形態では、少なくとも１つの側壁以外の隣接する側壁が湾曲部分を有する。湾曲部分は、湾曲された延長部分の外部に圧し掛かるように湾曲される。湾曲部分は、湾曲された延長部分の外部に追従する。
【００１６】
第２の態様によれば、連続的なブランク材が提供される。ブランク材は、包装箱を形成するためのものである。箱はベースと側壁とを有する。ベース及び側壁は、製品を収容するための空間を一緒に定める。ブランク材は基部を有する。ブランク材は側壁部分を有する。側壁部分は、折り曲げ線に沿って基部に接続される。側壁部分のうち少なくとも１つは延長部分を有する。延長部分はそれぞれの側壁部分の縁部から延在する。延長部分は基部の隣接する縁部を越えて延在する。延長部分は、側壁部分と基部との間の折り曲げ線を越えて側壁部分の長さを延在させるサポートを形成するために、閉ループへと湾曲可能となるような十分な長さのものである。延長部分は、処理によって側壁部分の別の部分から差別化される。処理は、延長部分を、側壁の他の部分よりも、曲げられるときにより滑らかに湾曲させるようになっている。
【００１７】
一実施形態では、少なくとも１つの側壁と延長部分との間に折り曲げ線がない。
【００１８】
一実施形態では、ブランク材は蓋部分を有する。蓋部分は、側壁部分のうち１つから延在する。蓋部分は、折り曲げ線によってそれぞれの側壁部分に接続される。折り曲げ線は、基部に接続される側壁部分の縁部と反対の側壁部分の縁部にある。
【００１９】
一実施形態では、ブランク材は両面段ボール紙から形成される。
【００２０】
一実施形態では、処理は、両面段ボール紙の一方の面に切り込みを入れることを含む。切り込みは平行な切り込みである。切り込みは、段ボール紙の波形同士の間で延びる。
【００２１】
一実施形態では、切り込みの数は少なくとも４である。
【００２２】
一実施形態では、処理は、液体を延長部分に適用することを含む。
【００２３】
一実施形態では、液体は、水、グリセロール、又は他の柔軟剤を含む。
【００２４】
一実施形態では、延長部分は、輪の（少なくとも）一部において、延長部分の少なくとも二重層を形成するだけの長さのものである。
【００２５】
一実施形態では、少なくとも１つの側壁への隣接する側壁部分が、湾曲された延長部分の外部に圧し掛かって追従するために湾曲部分を形成するように曲げることができる。
【００２６】
第３の態様によれば、包装箱を連続的なブランク材から形成する方法が提供される。包装箱はベースと側壁とを有する。ベース及び側壁は、製品を収容するための空間を一緒に定める。ブランク材は基部と側壁部分とを有する。側壁部分は、折り曲げ線に沿って基部に接続される。側壁部分のうち少なくとも１つは延長部分を有する。延長部分はそれぞれの側壁部分の縁部から延在する。延長部分は基部の隣接する縁部を越えて延在する。延長部分は、サポートを形成するために、閉ループへと湾曲可能となるような十分な長さのものである。サポートは、側壁部分と基部との間で折り曲げ線から離れるように側壁部分の長さを延在させるようになっている。方法は、延長部分を、処理によって側壁部分の別の部分から差別化するステップを含む。処理は、延長部分を、側壁の他の部分よりも、曲げられるときにより滑らかに湾曲させるようになっている。方法は、延長部分を閉ループへと巻くステップを含む。方法は、閉ループを固定するステップを含む。方法は、側壁を形成するために、側壁部分を立ち上げるステップを含む。方法は、空間を定めるために、基部に対して側壁を固定するステップを含む。
【００２７】
一実施では、少なくとも１つの側壁と延長部分との間に形成される折りがない。
【００２８】
一実施では、ブランク材は蓋部分を有する。蓋部分は、側壁部分のうち１つから延在する。蓋部分は、折り曲げ線によってそれぞれの側壁部分に接続される。折り曲げ線は、基部に接続される側壁部分の縁部と反対の側壁部分の縁部にある。方法は、空間を少なくとも部分的に包囲するために、側壁部分に対して蓋部分を折るステップを含む。
【００２９】
一実施では、ブランク材は両面段ボール紙から形成される。
【００３０】
一実施では、処理は、両面段ボール紙の一方の面に、段ボール紙の隣接する波形同士の間で延びる切り込みで、切り込みを入れることを含む。
【００３１】
一実施では、切り込みの数は少なくとも４である。
【００３２】
一実施では、処理は、液体を延長部分に適用することを含む。
【００３３】
一実施では、液体は、水、グリセロール、又は他の柔軟剤を含む。
【００３４】
一実施では、延長部分は、輪の（少なくとも）一部において、延長部分の少なくとも二重層を形成する。
【００３５】
一実施では、少なくとも１つの側壁への隣接する側壁部分が湾曲部分を形成するように曲げられる。湾曲部分は、湾曲された延長部分の外部に圧し掛かるようになっている。湾曲部分は、湾曲された延長部分の外部に追従するようになっている。方法は、湾曲部分を湾曲された延長部分の外部に固定するステップを含む。
【００３６】
第４の態様によれば、包装箱を連続的なブランク材から形成するための機械装置が提供される。包装箱は、製品を収容するための空間を一緒に定めるベース及び側壁を有する。ブランク材は、基部と、折り曲げ線に沿って基部に接続される側壁部分とを有する。側壁部分のうち少なくとも１つは、それぞれの側壁部分の縁部から延在する延長部分を有する。延長部分は基部の隣接する縁部を越えて延在する。延長部分は、サポートを形成するために、閉ループへと湾曲可能となるような十分な長さのものである。サポートは、側壁部分と基部との間で折り曲げ線から離れるように側壁部分の長さを延在させる。延長部分は、処理によって側壁部分の別の部分から差別化される。処理は、延長部分を、側壁の他の部分よりも、曲げられるときにより滑らかに湾曲させるようになっている。機械装置は並進手段を備える。並進手段は、ブランク材の基部を初期位置から並進させるためである。初期位置は平面的である。並進手段は、ブランク材の基部をブランク材の縦方向で並進させるためである。並進手段は、ブランク材の基部を折り曲げ領域へと並進させるためである。機械装置は巻回手段を備える。巻回手段は平面的な初期位置に配置される。巻回手段は、少なくとも１つの延長部分を閉ループへと巻くために配置される。機械装置は固定手段を備える。固定手段は、固定媒体を延長部分に適用するように配置される。固定手段は、巻かれるときに延長部分が閉ループの中で固定されるように適用される。機械装置は折り曲げガイドを備える。折り曲げガイドは折り曲げ領域を取り囲む。折り曲げガイドは、基部がブランク材の縦方向において並進するにつれて、空間を定めるために、基部に対して側壁を折るように構成される。
【００３７】
一実施形態では、並進手段は少なくとも１つの把持部を備える。
【００３８】
一実施形態は、折り曲げ領域の上方に配置される折り手段をさらに備える。折り手段は、空間を少なくとも部分的に包囲するために、側壁部分に対して蓋部分を折るためである。蓋部分は、側壁部分のうち１つから延在する。蓋部分は、折り曲げ線によってそれぞれの側壁部分に接続される。折り曲げ線は、基部に接続される側壁部分の縁部と反対の側壁部分の縁部にある。
【００３９】
一実施形態では、巻回手段は巻回フォークを備える。巻回フォークは、初期位置の平面に配置される。巻回フォークは、初期位置において延長部分と係合するために配置される。巻回フォークは、第１の位置から第２の位置へと並進するために配置される。巻回フォークは、並進と同時に、回転するために配置される。巻回フォークは、それによって、延長部分を閉ループへと巻くために配置される。
【００４０】
一実施形態では、固定手段は接着剤分配装置を備える。接着剤分配装置は、接着剤を延長部分へと分配するためである。
【００４１】
一実施形態では、接着剤分配装置は、巻回手段と共に並進するように配置される。それによって、接着剤分配装置は、延長部分における一連の異なる位置に接着剤を適用するために配置される。
【００４２】
一実施形態では、巻回手段はラックアンドピニオンを備える。巻回フォークはピニオンに接続される。ピニオンはラックに沿って並進可能である。それによって、ピニオンは巻回フォークを同時に並進及び回転させる。
【００４３】
一実施形態では、巻回フォークは巻回手段の並進方向と平行な方向で変位可能である。それによって、巻回フォークは、延長部分との係合へと、及び、延長部分との係合から、連続的となるように配置される。
【００４４】
一実施形態では、巻く巻回フォークは、第１の位置から第２の位置へと並進するとき、１回の完全な回転より多く行うように配置される。
【００４５】
一実施形態では、並進手段は、ブランク材の基部を、折り曲げ領域からブランク材の縦方向において取り外し領域へとさらに並進するように構成される。運搬手段が取り外し領域に設けられる。組み立てられた箱が、運搬手段によって取り外し領域から離されて運搬され得る。
【００４６】
本発明のより良い理解のために、及び、本発明がどのように実行に移されるかを示すために、例だけを用いて、添付の図面が参照される。
【図面の簡単な説明】
【００４７】
【図１】本発明の実施形態であるブランク材から、本発明の実施形態である包装箱を組み立てる方法の実施を示す図である。
【図２】本発明の実施形態であるブランク材から、本発明の実施形態である包装箱を組み立てる方法の実施を示す図である。
【図３】本発明の実施形態であるブランク材から、本発明の実施形態である包装箱を組み立てる方法の実施を示す図である。
【図４】本発明の実施形態であるブランク材から、本発明の実施形態である包装箱を組み立てる方法の実施を示す図である。
【図５】本発明の実施形態であるブランク材から、本発明の実施形態である包装箱を組み立てる方法の実施を示す図である。
【図６】本発明の実施形態であるブランク材から、本発明の実施形態である包装箱を組み立てる方法の実施を示す図である。
【図７Ａ】平行な切り込みを伴う両面段ボール紙を処理する効果を示す図である。
【図７Ｂ】平行な切り込みを伴う両面段ボール紙を処理する効果を示す図である。
【図７Ｃ】平行な切り込みを伴う両面段ボール紙を処理する効果を示す図である。
【図８】本発明の実施形態である、ブランク材から包装箱を組み立てるための機械装置を示す図である。
【図９】図８の機械装置によって実施される自動化された工程を介しての、本発明の実施形態でもある包装ブランク材から、本発明の実施形態である包装箱を組み立てる方法の代替の実施を示す図である。
【図１０】図８の機械装置によって実施される自動化された工程を介しての、本発明の実施形態でもある包装ブランク材から、本発明の実施形態である包装箱を組み立てる方法の代替の実施を示す図である。
【図１１】図８の機械装置によって実施される自動化された工程を介しての、本発明の実施形態でもある包装ブランク材から、本発明の実施形態である包装箱を組み立てる方法の代替の実施を示す図である。
【図１２】図８の機械装置によって実施される自動化された工程を介しての、本発明の実施形態でもある包装ブランク材から、本発明の実施形態である包装箱を組み立てる方法の代替の実施を示す図である。
【図１３】図８の機械装置によって実施される自動化された工程を介しての、本発明の実施形態でもある包装ブランク材から、本発明の実施形態である包装箱を組み立てる方法の代替の実施を示す図である。
【図１４】図８の機械装置によって実施される自動化された工程を介しての、本発明の実施形態でもある包装ブランク材から、本発明の実施形態である包装箱を組み立てる方法の代替の実施を示す図である。
【図１５】図８の機械装置によって実施される自動化された工程を介しての、本発明の実施形態でもある包装ブランク材から、本発明の実施形態である包装箱を組み立てる方法の代替の実施を示す図である。
【図１６】本発明の代替の実施形態である変形の包装箱を示す図である。
【発明を実施するための形態】
【００４８】
図１は、本発明の実施形態である包装箱２００へと折るのに適する本発明の実施形態である包装ブランク材１００を示している。包装箱２００は図６に示されており、一方、図２〜図５は、ブランク材１００を箱２００へと組み立てる工程における途中の段階を示している。
【００４９】
包装ブランク材１００は、概して平面的な形態を有し、包装材料の単一の連続したシートから形成されている。ここでは、ブランク材１００は両面段ボール紙から形成されている。図７Ａに示しているように、両面段ボール紙９は、紙又は厚紙などのシート材料の２つの外側層９ａ、９ｃを備え、それら２つの層の間に配置されるシート材料の波形の内側層９ｂを有し、そのため、波形の材料の反対側の頂部同士がそれぞれのシート材料の反対の層と接触している。シート材料は、すべての３つの層において同じであってもよい、外部層の間で同じであるが、波形の層については異なる材料を有してもよい、又は、すべての３つの層について異なる材料を有してもよい。さらなる層及び／又は被覆が各々の外部層に適用されてもよく、外部層及び波形の層の各々は、それ自体が一体に積層された幾つかの材料のシートから形成されてもよい。
【００５０】
図１に表わす包装ブランク材１００は、幾つかの主要部分を有している。
【００５１】
基部１０１は、丸められた角部を具備する略矩形状の形状を有している。基部１０１は、互いに対して反対側に位置する一組の直線状の縁部１０１ａ、１０１ｂと、互いに対して反対側に位置する一組の直線状の縁部１０１ｃ、１０１ｄとを有しており、縁部１０１ａ、１０１ｂ、１０１ｃ、１０１ｄそれぞれが、折り曲げ線を介して別の部分に接続されている。上述の丸められた角部を具備する湾曲した縁部１０１ｅ、１０１ｆ、１０１ｇ、及び１０１ｈが、隣り合う直線状の縁部を接続している。
【００５２】
一対の相対する端縁部１０１ａ、１０１ｂは、縁部１０１ａ、１０１ｂにおける折り曲げ線を介して、第１の側壁部分１０２及び１０３の対にそれぞれ接続されている。第１の側壁部分１０２及び１０３は、縁部１０１ａ、１０１ｂと平行な方向で幅を有し、この幅は、それぞれの縁部１０１ａ、１０１ｂの同じ方向での幅、つまり、丸められた角部を含んでいない幅に対応している。
【００５３】
第２の壁部分１０４及び１０５が、基部１０１の平面において、相対する縁部１０１ａ及び１０１ｂと垂直な方向で互いと反対に配置される相対する縁部１０１ｃ及び１０１ｄにおいて、基部１０１から延在している。第２の壁部分１０４及び１０５は、それぞれの折り曲げ線によって基部１０１に結合されている。
【００５４】
第１の側壁部分１０２及び１０３と第２の側壁部分１０４及び１０５との各々は、同じ距離で基部１０１に接続されるそれぞれの縁部から離れるように延在している。したがって、すべての側壁部分が基部１０１と垂直になるように折り曲げられた場合に、各々の側壁部分の頂部は、基部に対して同じ高さになる。
【００５５】
図１に示しているように、第２の側壁部分１０４及び１０５の各々には、延長部分１０４ａ、１０４ｂ及び１０５ａ、１０５ｂが設けられている。延長部分１０４ａ、１０４ｂ、１０５ａ、１０５ｂの各々は、基部１０１のそれぞれの縁部１０１ｃ及び１０１ｄが側壁部分にもはや接続していないそれぞれの第２の側壁部分１０４及び１０５に沿うある距離で、第２の側壁部分１０４、１０５からそれぞれ延在している。別の言い方をすれば、延長部分１０４ａ、１０４ｂ、１０５ａ、１０５ｂは、ベース１０１から、少なくとも直接的な意味で、接続されないように第２の側壁部分１０４、１０５から各々延在している。
【００５６】
延長部分１０４ａ、１０４ｂ、１０５ａ、１０５ｂの各々は、閉ループを形成するために巻かれる又は丸められるとき、閉ループの曲率半径が湾曲した縁部１０１ｅ、１０１ｆ、１０１ｈ、１０１ｇの曲率半径に対応するように十分に長くなっている。ここで、疑念の回避のために、「巻かれる」という用語は、基部１０１から最も遠い各々の延長部分１０４ａ、１０４ｂ、１０５ａ、１０５ｂの端、別の言い方をすれば、各々の延長部分１０４ａ、１０４ｂ、１０５ａ、１０５ｂの自由端が、ブランク材１００の平面から持ち上げられ、管状の構造を形成するためにそれ自体において丸められることを意味している。
【００５７】
延長部分１０４ａ、１０４ｂ、１０５ａ、及び１０５ｂを巻く工程は、図２に示した構造をもたらし、巻かれた又は丸められた延長部分１０４ａ、１０４ｂ、１０５ａ、１０５ｂが、ここでは、第２の側壁部分１０４、１０５の各々の端に配置される閉ループを形成している。閉ループは、基部１０１の平面の上方に突出し、側壁部分１０４、１０５の高さ方向、つまり、それぞれの側壁部分１０４及び１０５が基部１０１に接続する縁部１０１ｃ、１０１ｄからの方向に、延びている。
【００５８】
図１から図２への移行において、各々の延長部分１０４ａ、１０４ｂ、１０５ａ、１０５ｂの面に、延長部分が閉ループへと巻かれるときにそれぞれの延長部分１０４ａ、１０４ｂ、１０５ａ、１０５ｂの他の面に接触することになる位置において、接着剤が提供される。それによって、各々の延長部分１０４ａ、１０４ｂ、１０５ａ、１０５ｂは、それが巻かれた閉ループの状態で固定される。
【００５９】
図２に示した構成から、第２の側壁部分１０４及び１０５の各々に設けられたタブ部分１０４ｃ及び１０５ｃが折り曲げられる。これらのタブ部分は、製品が箱に置かれても箱の外側から製品により容易にアクセスさせることができるように、及び、持ち上げのための手の掴み部として提供する開口への補強として作用するように、第２の側壁部分１０４及び１０５の各々の頂部において切り取り領域を有するパレット型の箱として箱を形成させることができる。当然ながら、このようなパレットの構成は、単なる１つの可能性であり、このようなタブ部分を有していない実施形態は、完全に本開示の範囲内である。
【００６０】
図３に示した構成から、第２の側壁部分１０４及び１０５は、第２の側壁部分１０４及び１０５が基部１０１に対して垂直になるように、折り曲げ線１０１ｃ及び１０１ｄの周りで折ることで高くさせられる。この構成では、非折り曲げ状態において基部１０１に最も近い巻かれた延長部分１０４ａ、１０４ｂ、１０５ａ、１０５ｂの各々の端は、折り曲げ状態で基部１０１に載っている。巻かれた延長部分１０４ａ、１０４ｂ、１０５ａ、及び１０５ｂは、ここでは、基部１０１から上向きに延在する。巻かれた延長部分１０４ａ、１０４ｂ、１０５ａ、１０５ｂの各々の曲率半径の適切な選択によって、延長部分１０４ａ、１０４ｂ、１０５ａ、１０５ｂの各々の外部形態は、基部１０１の湾曲した縁部１０１ｅ、１０１ｆ、１０１ｈ、及び１０１ｇの形態に追従する。
【００６１】
図４に示した構成から、第１の側壁部分１０２及び１０３は、基部１０１に対して垂直となるように、基部１０１の縁部１０１ａ及び１０１ｂにおいて折り曲げ線に沿ってそれぞれ折られ、各々の第１の側壁部分１０２、１０３は、巻かれた延長部分１０４ａ、１０５ａ、１０４ｂ、１０５ｂのそれぞれ２つに対して当たって位置する。図４に示した状態と図５に示した状態との間で、それぞれの巻かれた延長部分１０４ａ、１０５ａ、１０４ｂ、１０５ｂにそれぞれ接触することになる第１の側壁部分１０２及び１０３の各々の場所に接着剤が供給され得、そのため、各々の第１の側壁部分１０２、１０３がそれぞれの巻かれた延長部分１０４ａ、１０５ａ、１０４ｂ、１０５ｂの各々の外部面に接触されるとき、各々の第１の側壁部分１０２及び１０３はそれに固定される。
【００６２】
図５に示した構成から、タブ部分１０２ｃ及び１０３ｃは、第１の側壁部分１０２及び１０３における切り取り部分を形成するように折り畳まれる。その結果生まれた箱は、図６に示されている。箱２００は、ベース２０１と、相互に相対する第１の側壁２０２及び２０３ならびに第２の側壁２０４及び２０５の２つの対とを有している。箱２００は、側壁２０２、２０３、２０４、及び２０５によって包囲された空間の頂部にベース２０１から延在するサポートを形成するように、各々の第２の側壁２０４、２０５の縁部から延在する巻かれた延長部分２０４ａ及び２０４ｂと２０５ａ及び２０５ｂとを有する。したがって、延長部分２０４ａ、２０４ｂ、２０５ａ、及び２０５ｂは、２つ以上の箱２００が次々と積み重ねされるとき、延長部分２０４ａ、２０４ｂ、２０５ａ、及び２０５ｂがない箱よりも箱２００が押し潰す力に対して大きな耐性を有するように、柱として作用する。
【００６３】
図１〜図６の構成では、巻かれた側壁部分２０４ａ、２０４ｂ、２０５ａ、及び２０５ｂによって形成された各々の柱の柱強度が、柱を形成するために１回を超える回転で延長部分を巻くことで、追加の材料の使用を犠牲にして増大され得る。例えば、各々の部分は、材料の２層、３層、又はさらに多くの重なる層を提供するために、それ自体にそれぞれ２回、３回、又はさらに多くの回数で巻かれた延長部分から形成されてもよく、材料の各々重なり合う層は、柱強度をさらに増大するのに寄与する。
【００６４】
しかしながら、ブランク材１００から箱２００を形成する工程では、延長部分１０４ａ、１０４ｂ、１０５ａ、１０５ｂが、図１に示した本質的に平面的な構成から図６に示した柱状の構成へと巻かれる間に滑らかに湾曲させられることが可能であることは重要である。しかしながら、側壁部分１０２、１０３、１０４、及び１０５が優れた構造上の完全性を保持することも、箱の全体の強度及び安定性にとって重要である。したがって、各々の延長部分１０４ａ、１０４ｂ、１０５ａ、及び１０５ｂは、延長部分を、側壁の他の部分よりも、曲げられるときにより滑らかに湾曲させるために、処理によって側壁部分１０４、１０５の別の部分から差別化される。
【００６５】
幾つかの選択肢がこのような処理に利用可能である。１つの方法が図７Ｂに示されており、この図は、切り込み９ｄを形成するように、図７Ａに示しているような従来の段ボール紙９の上面層９ａに作られている実質的に平行な幾つかの切断を示している。切り込み９ｄは、段ボール紙の一方の縁部から反対の縁部まで延在しており、ボール紙のその表面と接触する内側の波形層９ｂの隣接する波形の頂部と平行であり、それら頂部同士の間で延びている。図７Ｃに示しているように、切り込み９ｄは、捩じれ強度などの重要な機械装置的特性において僅かな低減だけで、切断を有する表面層９ａに向かう方向、又は、切り込みを有する表面層９ａから離れる方向のいずれかで材料を曲げることができる。このような切り込みを設けることで、延長部分が巻かれる軸に対して好ましくは垂直において、延長部分は、ブランク材の残っている部分及び箱の対応する部品の機械装置的特性に影響を与えることなく、より柔軟とさせられ得る。一部の場合には、巻かれた延長部分の周囲の周りの僅か４つ又は５つの切り込みが適切に滑らかな湾曲を可能にすることができると考えられる。しかしながら、段ボール紙におけるすべての波形に対応する切断が設けられている実施形態が考えられている。
【００６６】
別の方法は、柔軟剤を伴う選択的な手法での延長部分１０４ａ、１０４ｂ、１０５ａ、及び１０５ｂの処理を伴う。柔軟剤は、水であり得る、又は、グリセロールもしくは他の適切な柔軟剤であり得る。柔軟剤は、容易な適用のために、水などの担体液体と混合され得る、又は、そのような担体液体で溶解され得る。柔軟剤が、延長部分１０４ａ、１０４ｂ、１０５ａ、１０５ｂを閉ループの構成へと巻く前に適切に適用される場合、これらの部分は、滑らかに湾曲した構成へとより容易に巻くことができる。箱が使用される前に柔軟剤を乾燥させることで、延長部分の元の機械装置的特性のほとんどを回復させることができる。その間、柔軟剤で処理されていない側壁部分は、その機械装置的特性を変えずに保持する。柔軟剤を選択的に適用するための１つの方法は、延長部分における領域、又は、柔軟剤を引き付けるか寄せ付けないかのいずれかである近くの部分における領域に、例えば印刷によって、適用することである。例えば、疎水性のストライプが、水性柔軟剤、又は、水を担体液体として使用する柔軟剤の拡がりを制限するために、柔軟剤が拡がるべきではない領域、又は、柔軟剤が越えて拡がるべきではない領域に、印刷され得る。
【００６７】
図１〜図６に描写した工程は、手作業で実行できる。代替で、工程は、図８に示したような機械装置４００によって、自動化されたやり方で実行できる。
【００６８】
機械装置４００は仮想平面Ｐを参照して記述され、仮想平面Ｐは、包装箱のベースの壁についての意図された平面として定められた平面である。この平面を参照して、平面Ｐを共に定める垂直なＸ方向軸及びＹ方向軸と、平面Ｐの法線を定める、Ｘ軸及びＹ軸の各々に対して垂直な方向軸Ｚとの３つの直交する軸が考えられている。
【００６９】
図８の構成では、Ｚ軸は、ベース表面から垂直に結び付けられる方向において、完成した箱の側壁の高さの反対の方向に延びている。Ｚ軸は、基部１０１が折り工程の間に機械装置を通じて進行する機械装置のブランク材の縦方向を定めている。
【００７０】
機械装置４００は、５つの主要な作動部分を備えている。保持手段４１０は、ブランク材１００のベース表面１０１を保持するように機能し、ベース表面１０１を初期位置から折り曲げ領域を通じて最終位置まで引く。側壁折り曲げガイド４２０及び４３０は、基部１０１が折り曲げ領域を通過するとき、側壁を平面的な構成から鉛直に折り畳まれた構成へと案内するように機能する。巻きユニット４４０は、平面的な構成において延長部分１０４ａ、１０４ｂ、１０５ａ、及び１０５ｂを掴み、折る前にそれらを巻かれた構成へと巻くように機能する。接着剤適用ユニット４５０は、折る間、ブランク材１００の様々な表面部分に接着剤を適用し、特には、延長部分１０４ａ、１０４ｂ、１０５ａ、及び１０５ｂと第１の側壁部分１０２及び１０３とに接着剤を提供するように機能する。
【００７１】
この機械装置４００の動作は、ここでは、図９〜図１５を参照して詳細に記述されている。
【００７２】
図９では、ブランク材１００は初期位置に配置されており、第２の側壁折り曲げガイド４２０の各々の上方の平面的な表面に載っている。第２の側壁折り曲げガイド４２０は、図８における差込図に示した大まかな形を有しており、上方の平面的な表面４２０ａから湾曲した部分４２０ｂを通じて鉛直の区域４２０ｃへと延びている折り表面を断面において有している。折り曲げガイド４２０は折り曲げ領域を挟んで相対しており、折り曲げ領域は、相対する縁部１０１ｃと１０１ｄとの間で測定される基部１０１の幅に対応する幅を有する。折り曲げガイド４２０の鉛直面４２０ｃは、互いと折り曲げ領域の相対する側に配置されており、折り曲げ領域の幅によって離間されている。ここで、折り曲げ領域の各々の側に設けられた３つの折り曲げガイドがあり、各々の折り曲げガイド４２０は、別の折り曲げガイド４２０の鉛直面４２０ｃを向く鉛直面４２０ｃを有する。しかしながら、より多く又はより小さいこのような折り曲げガイドが設けられてもよい。
【００７３】
図９に示した構成では、１つが各々の延長部分１０４ａ、１０４ｂ、１０５ａ、１０５ｂに対応するように、４つの巻きユニット４４０が設けられている。各々の巻きユニットは、それぞれの延長部分１０４ａ、１０４ｂ、１０５ａ、１０５ｂの各々の自由端に対応する位置に配置されている。
【００７４】
各々の巻回手段は巻回フォーク４４０ｃを備えており、巻回フォーク４４０ｃは、それぞれの延長部分と係合し、対応するようにその延長部分を巻回フォーク４４０ｃの歯の間から解放するように、伸長可能及び引き込み可能である。巻回フォーク４４０ｃは、例えば、協働するソレノイド及びバネを用いて伸長可能及び引き込み可能とでき、ソレノイドは延長部分と係合するために巻回フォークを変位させるように作用し、バネは、巻回フォークがそれぞれの延長部分から係合解除されるとき、延長部分との係合から巻回フォークを引き込むように作用する。巻回フォークは、例えば、Ｙ方向において引き込み可能である。
【００７５】
各々の巻回フォークは、ラックアンドピニオン駆動部のピニオン４４０ａに結合されており、ラックアンドピニオン駆動部のラック４４０ｂは、対応する延長部分の延在方向に沿って平面Ｐに配置されている。ラックアンドピニオン駆動部を用いて、巻回フォーク４４０ｃが、例えば図８においてＸ方向で、対応する延長部分の延在方向に並進するにつれて、巻回フォークは対応するように同時に回転することになり、回転は、ラックアンドピニオン駆動部を用いて並進と同期されている。並進は、図８では、Ｘ方向であり得る。各々のピニオンは、例えば、ピストン４４０ｄによって適切な並進方向で駆動される。
【００７６】
巻きユニット４４０は２つの対で提供されており、一方の対は、Ｙ方向において平面Ｐの一方の側にあり、側壁部分１０４の延長部分１０４ａ及び１０４ｂと協働し、他方の対は、Ｙ方向において平面Ｐの他方の側にあり、側壁部分１０５の延長部分１０５ａ及び１０５ｂにおいて動作する。各々の対のうち、巻回手段は、図１０を参照して説明されるように、巻いている動作の間にＸ方向で互いに向かって並進するように配置されている。
【００７７】
図１０では、各々の巻回フォーク４４０ｃは、Ｙ方向において、ブランク材１００の平面へと内向きに、特には、それぞれの延長部分１０４ａ、１０４ｂ、１０５ａ、１０５ｂに向かって、伸長されている。伸長の間、各々の巻回フォーク４４０ｃの歯は、伸長の後に各々の延長部分の各々の自由端が巻きユニット４４０のそれぞれの巻回フォーク４４０ｃの歯の間に位置付けられるように、ブランク材１００の平面を挟むように配置される。
【００７８】
図１０に示した構成から、巻きユニット４４０は、ピストン４４０ｄを用いて、それぞれの側壁１０４及び１０５の中心に向かって並進させられる。同時に、接着剤付着ユニット４５０が、各々の延長部分１０４ａ、１０４ｂ、１０５ａ、及び１０５ｂが閉ループの構成へと巻かれるときに接着剤を付着させるように、巻回フォーク４４０ｃの位置の前で延長部分１０４ａ、１０４ｂ及び１０５ａ、１０５ｂの上方で同時に同期して並進させられる。特に、接着剤付着ユニット４５０は、必要に応じて接着剤をブランク材の別の部分にも適用できるように、図８において指示されているように、Ｘ方向及びＹ方向を含む平面Ｐに定められる経路において少なくとも移動可能である。
【００７９】
この工程によって、図１１において達成された構成が得られ、各々の延長部分１０４ａ、１０４ｂ、１０５ａ、及び１０５ｂは閉ループへと巻かれている。この構成から、巻回フォーク４４０ｃ（図１１では見えない）は延長部分１０４ａ、１０４ｂ、１０５ａ、及び１０５ｂとの係合から引き抜かれ、そのため、延長部分１０４ａ、１０４ｂ、１０５ａ、１０５ｂは、付着ユニット４５０からの付着された接着剤を用いて所定位置で固定される。
【００８０】
図１２に示しているように、巻きユニット４４０は次にその元の位置へと引き込まれる。この構成から、基部１０１を向く吸い込み保持部が端に設けられている保持ユニット４１０は、ベース表面１０１をＺ方向において折り曲げ領域へと引かせることができるようにベース表面１０１と係合する。保持ユニット４１０は、例えば巻いている間にブランク材１００を安定させるために、巻く前に基部１０１とあらかじめ係合させられてもよい。保持ユニット４１０は、ベース表面１０１を引き、その結果ブランク材１００を、機械装置を通じて引き、特には折り曲げ領域を通じて引くように、ピストン又は他の駆動手段によって、ここではＺ方向であるブランク材の縦方向において並進可能である。
【００８１】
ベース表面１０１が保持ユニット４１０を用いて引かれるにつれて、各々の側壁部分１０４及び１０５は、基部１０１が鉛直部分４２０ｃの端に到達するとき、側壁１０４及び１０５が基部１０１に対して鉛直に配置されるように、それぞれの折り曲げガイド４２０の折り表面４２０ａに載っている状態から移動し、折り表面４２０ｂに沿って滑る。同様に、第１の側壁部分１０２及び１０３が、同じく折り曲げ領域を挟んで互いと相対して配置されている第１の側壁折り曲げガイド４３０の対応する案内表面４３０ｂ及び４３０ｃに沿って滑るにつれて、第１の側壁部分１０２及び１０３も高くさせられる。各々の第１の側壁折り曲げガイド４３０の折り表面４３０ｂの湾曲を、各々の第２の側壁折り曲げガイド４２０の対応する湾曲４２０ｂよりも浅くすることで、第２の側壁部分１０４、１０５が鉛直に折れてから僅かに後に第１の側壁部分１０２、１０３が鉛直に折れることが確保でき、そのため、第１の側壁部分１０２及び１０３がそれぞれの巻かれた延長部分１０４ａ、１０４ｂ、１０５ａ、１０５ｂに圧し掛かることが確保され得る。
【００８２】
この工程の効果は図１３に示されている。図１２に示した構成と図１３に示した構成との間で、接着剤付着ユニット４５０は、巻かれた延長部分１０４ａ、１０４ｂ、１０５ａ、１０５ｂに接触する第１の側壁部分１０２及び１０３の適切な領域に接着剤を適用するために、移動及び動作させられている。それによって、図１３の構成はしっかりと安定している。この構成から、第２の側壁折り曲げガイド４２０及び第１の側壁折り曲げガイド４３０にそれぞれ設けられた折りアーム４２０ｄ及び４３０ｄが、タブ部分１０２ｃ、１０３ｃ、１０４ｃ、１０５ｃを内向きに折って図１４に示した構成に達するために、それぞれの折り曲げガイドの頂部を越えて旋回する。
【００８３】
図１４に示した構成では、機械装置４００の作動によってブランク材１００が折り曲げられ、箱２００が実質的に形成される。しかしながら、箱２００を機械装置４００から取り外すことが残っており、これは、箱４００が、図１５に示しているように、ベルトコンベヤなど、図示していない適切な運搬手段によって機械装置から取り外され得るように、箱２００を折り曲げ領域の先の位置へと下げるために、保持手段４１０をＺ軸方向においてさらに変位させることで達成され得る。
【００８４】
前述の説明は、本発明が当業者によってどのように率直に具体化できるかを十分に明確にするために考えられているが、純粋な例示として解釈されるものである。具体的には、当業者によって理解され得るような、可能であるいくつのかの変形がある。例えば、図１６を参照すると、図６に示したパレット形態のものではないが、箱の１つの側壁から延在し、巻かれた延長部分１０４ａ、１０４ｂ、１０５ａ、１０５ｂの上表面に載ることができる蓋支持タブＴによって任意選択で支持される蓋Ｌを有する箱を、提供することも可能である。代替で、蓋支持タブＴがなくてもよく、蓋Ｌは、巻かれた延長部分１０４ａ、１０４ｂ、１０５ａ、１０５ｂに直接的に載ってもよい。
【００８５】
さらに、箱に丸められた角部が設けられることは必要ではない。代わりに、例えば、側壁１０２及び１０３から延在し、側壁１０４及び１０５と平行に延びるように箱の角において折り曲げられている延在タブによって形成される、斜めとされた角が設けられた箱を有することが可能である。このような構成では、巻かれた柱が、箱の構造を支持するために、及び／又は、任意の包囲された製品を支持もしくは拘束するために、内部に設けられてもよい。
【００８６】
さらに、ベースに対して垂直な４つの壁を有し、壁の他方の対に対して垂直に配置される相互に平行な壁の２つの対を形成する長方形の箱は、単なる１つ可能な構成である。他の数の側部、湾曲した側部、ギザギザの側部、ベースに対して垂直でない側部、及び、隣接する側部に対して垂直でない側部を有する箱は、本開示によってすべて検討されている。
【００８７】
さらに、箱の様々な部分が接着剤を用いて他に相対的に固定されることが説明されるとき、これは当然ながら例示であり、技術的に知られているようなこれを行うための任意の適切な手段が、適用されてもよい。例えば、テープ、ステープル、又はリベットも、本開示の文脈において適切な固定手段である。
【００８８】
ブランク材１００を箱２００へと折るための機械装置の記述を参照すると、この手段の動作はここでも純粋に例示である。この機械装置の様々な可動部品は、ピストン、ウォーム駆動、リニアモータ、又は、技術的に知られているような他の駆動手段など、任意の適切な手段によって駆動できる。接着剤付着ユニットは、例えば、ステープル留めユニット又はリベット留めユニットによって置き換えられてもよい。延長部分を閉ループの状態に巻くことは、例えば、回転搭載部における挟み付け具など、適切に構成されたエンドエフェクタを有する産業用ロボットのアームによって、実施されてもよい。ベース表面を初期位置から折り曲げ領域を通じて最終位置まで並進させるために使用される吸い込み保持部は、ベース表面１０１を、機械装置を通じて引くのではなく押すために、ベース表面１０１の上面に機械装置の上方から適用されるプランジャによって同等に置き換えられ得る。
【００８９】
一部の実施形態では、巻かれた延長部分は、支持柱として機能することの代替又は追加で、例えば、箱において包装される１つ又は複数の製品のためのサポートとして作用するためにベースと平行に延びる切り込み又は開口が設けられてもよい。このような構成では、巻かれた延長部分は、それらが箱内で緩む動きをするのを防止することで、箱において包装された製品に衝撃保護を提供するように作用できる。
【００９０】
一部の実施形態では、延長部分の閉ループは、特定の所望の柱強度を提供するために必要とされるだけの材料を含むために、二重以上の厚さで巻かれた部分を提供するように延ばされてもよい。
【００９１】
追加で、本発明は、厚紙及び段ボール紙などの紙又はボール紙の種類の包装材料の文脈で開示されているが、本開示をプラスチックの種類の材料から作られた箱に適用することも可能であり、延長部分の滑らかに曲げることができる状態を得るためのこのような場合における処理は、これらの部分をブランク材の別の部分に対して柔軟にするために、例えば、柔軟にする化学品、熱、又は適切な放射の適用によってもたらされる。
【００９２】
さらに、図１のブランク材を形成するための材料は、ＷＯ２０１３／０１２３６２Ａ１として公開されている同時係属中の国際特許出願に開示されている曲げることができるボール紙から製造することもでき、このボール紙は、小さい半径の角さえも、折り目の付くことなく確実に得ることができる。
【００９３】
これに加えて、本開示の様々な態様が、任意選択であるとして、又は、その文脈においては提示されている他の要素がないときであっても、具体的な技術的な効果又は利点を提供するとして、当業者によって理解されてもよいことが認識される。したがって、当業者は、ここで開示した概念を考慮して、本開示を、不当な負担なく、任意の具体的な状況又は用途の要件に適応させることができるものである。
【００９４】
すべての前述したことは、本開示の範囲に完全にあり、前述の特徴の１つ又は複数の組み合わせが、先に開示した特定の組み合わせに限定されることなく適用される代替の実施形態のための基盤を形成すると考えられる。
【００９５】
本開示の箱は、対応するブランク材から、手作業のやり方、機械装置に支援されたやり方、又は自動化されたやり方で容易に組み立てられ、材料の使用において経済的である。さらに、本開示の箱は、他の箱と積み重ねられるとき、高められた強度を提供する。
【００９６】
これに鑑みて、本開示の教示を実施する多くの代替があることになる。当業者は、それ自体の状況及び要件を本発明の範囲内に適合させるために、上記の開示を変更及び適応させることができる一方で、この技術における共通の一般的な知識に鑑みて、開示された、又は、上記から導き出せる本発明の一部又は全部の技術的効果を保持する。すべてのこのような等価物、変形、又は適応は、ここで定められて請求されている本発明の範囲内にある。
【符号の説明】
【００９７】
９  両面段ボール紙
９ａ  外側層、上面層、表面層
９ｂ  波形の内側層
９ｃ  外側層
９ｄ  切り込み
１００  包装ブランク材
１０１  基部、ベース表面
１０１ａ、１０１ｂ、  直線状の縁部
１０１ｃ、１０１ｄ  直線状の縁部、折り曲げ線
１０１ｅ、１０１ｆ、１０１ｇ、１０１ｈ  湾曲した縁部
１０２、１０３  第１の側壁部分
１０２ｃ、１０３ｃ、１０４ｃ、１０５ｃ  タブ部分
１０４、１０５  第２の側壁部分
１０４ａ、１０４ｂ、１０５ａ、１０５ｂ  延長部分
２００  包装箱
２０１  ベース
２０２、２０３  第１の側壁
２０４、２０５  第２の側壁
２０４ａ、２０４ｂ、２０５ａ、２０５ｂ  延長部分
４００  機械装置
４１０  保持手段、保持ユニット
４２０  第２の側壁折り曲げガイド
４２０ａ  上方の平面的な表面、折り表面
４２０ｂ  湾曲した部分、折り表面
４２０ｃ  鉛直の区域、鉛直面、鉛直部分
４２０ｄ  折りアーム
４３０  第１の側壁折り曲げガイド
４３０ｂ  案内表面、折り表面
４３０ｃ  案内表面
４３０ｄ  折りアーム
４４０  巻きユニット
４４０ａ  ピニオン
４４０ｂ  ラック
４４０ｃ  巻回フォーク
４４０ｄ  ピストン
４５０  接着剤付着ユニット
Ｌ  蓋
Ｐ  平面
Ｔ  蓋支持タブ
【図１】
2018521910.tif 000003
【図２】
2018521910.tif 000004
【図３】
2018521910.tif 000005
【図４】
2018521910.tif 000006
【図５】
2018521910.tif 000007
【図６】
2018521910.tif 000008
【図７Ａ】
2018521910.tif 000009
【図７Ｂ】
2018521910.tif 000010
【図７Ｃ】
2018521910.tif 000011
【図８】
2018521910.tif 000012
【図９】
2018521910.tif 000013
【図１０】
2018521910.tif 000014
【図１１】
2018521910.tif 000015
【図１２】
2018521910.tif 000016
【図１３】
2018521910.tif 000017
【図１４】
2018521910.tif 000018
【図１５】
2018521910.tif 000019
【図１６】
2018521910.tif 000020
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
ベース及び側壁を有している包装箱であって、前記ベース及び前記側壁が共に、製品を収容するための空間を規定している、前記包装箱において、
前記側壁のうち少なくとも１つの側壁が、前記側壁それぞれの縁部から延在している延長部分を有しており、
前記延長部分が、前記ベースから前記空間の頂部に延在しているサポートを形成するために、及び、前記包装箱の丸められた角部を形成するために、閉ループを形成するように湾曲されており、
前記延長部分が、屈曲される場合に前記延長部分を前記側壁の他の部分より滑らかに湾曲させるための処理によって、前記側壁の別の部分から差別化され、
前記包装箱が、両面段ボール紙から形成されており、
前記処理が、前記両面段ボール紙の隣接する波形同士の間に延伸している切り込みを前記両面段ボール紙の一方の面に形成することを含んでいる、包装箱。
【請求項２】
ベース及び側壁を有している包装箱であって、前記ベース及び前記側壁が共に、製品を収容するための空間を規定している、前記包装箱において、
前記側壁のうち少なくとも１つの側壁が、前記側壁それぞれの縁部から延在している延長部分を有しており、
前記延長部分が、前記ベースから前記空間の頂部に延在しているサポートを形成するために、及び、前記包装箱の丸められた角部を形成するために、閉ループを形成するように湾曲されており、
前記延長部分が、屈曲される場合に前記延長部分を前記側壁の他の部分より滑らかに湾曲させるための処理によって、前記側壁の別の部分から差別化され、
前記処理は、液体を前記延長部分に適用することを含む、包装箱。
【請求項３】
前記包装箱が、単一の連続的なブランク材から形成されている、請求項１又は２に記載の包装箱。
【請求項４】
前記包装箱が、前記空間を少なくとも部分的に覆うように、且つ、前記延長部分と接触するように、前記側壁のうち少なくとも１つの側壁から延在している蓋部分を有している、請求項１から３のいずれか一項に記載の包装箱。
【請求項５】
前記切り込みの数が、は少なくとも４つである、請求項１又は請求項１に従属する場合の請求項３若しくは４に記載の包装箱。
【請求項６】
前記液体が、水、グリセロール、または又は他の柔軟剤を含む、請求項２又は請求項２に従属する場合の請求項３若しくは４に記載の包装箱。
【請求項７】
前記閉ループは、前記閉ループの少なくとも一部において、前記延長部分の少なくとも二重層を形成する、請求項１から６のいずれか一項に記載の包装箱。
【請求項８】
前記少なくとも１つの側壁以外の隣接する側壁が、前記湾曲された延長部分の外部に圧し掛かって追従するように湾曲される湾曲部分を有する、請求項１から７のいずれか一項に記載の包装箱。
【請求項９】
ベース及び側壁を有している包装箱を形成するための連続的なブランク材であって、前記ベース及び前記側壁が共に、製品を収容するための空間を形成している、前記ブランク材において、
前記ブランク材は、基部と、折り曲げ線に沿って前記基部に接続されている側壁部分とを有しており、
前記側壁部分のうち少なくとも１つの側壁部分が、前記包装箱を形成するために折り曲げられる場合に、前記側壁部分それぞれの縁部から前記基部の隣接する縁部を越えて延在している延長部分を有しており、
前記延長部分が、前記側壁部分と前記基部との間の前記折り曲げ線から離隔するように前記側壁部分の長さを延長させるサポートを形成するために、及び、前記包装箱の丸められた角部を形成するために、閉ループを形成するように湾曲可能とされるのに十分な長さとされ、
前記延長部分が、屈曲される場合に前記延長部分を前記側壁の他の部分より滑らかに湾曲させるための処理によって、前記側壁部分の別の部分から差別化され、
前記包装箱が、両面段ボール紙から形成されており、
前記処理が、前記両面段ボール紙の隣接する波形同士の間に延伸している切り込みを前記両面段ボール紙の一方の面に形成することを含んでいる、連続的なブランク材。
【請求項１０】
ベース及び側壁を有している包装箱を形成するための連続的なブランク材であって、前記ベース及び前記側壁が共に、製品を収容するための空間を形成している、前記ブランク材において、
前記ブランク材は、基部と、折り曲げ線に沿って前記基部に接続されている側壁部分とを有しており、
前記側壁部分のうち少なくとも１つの側壁部分が、前記包装箱を形成するために折り曲げられる場合に、前記側壁部分それぞれの縁部から前記基部の隣接する縁部を越えて延在している延長部分を有しており、
前記延長部分が、前記側壁部分と前記基部との間の前記折り曲げ線から離隔するように前記側壁部分の長さを延長させるサポートを形成するために、及び、前記包装箱の丸められた角部を形成するために、閉ループを形成するように湾曲可能とされるのに十分な長さとされ、
前記延長部分が、屈曲される場合に前記延長部分を前記側壁の他の部分より滑らかに湾曲させるための処理によって、前記側壁部分の別の部分から差別化され、
前記処理は、液体を前記延長部分に適用することを含む、連続的なブランク材。
【請求項１１】
前記少なくとも１つの側壁と前記延長部分との間に折り曲げ線がない、請求項９又は１０に記載の連続的なブランク材。
【請求項１２】
前記ブランク材が、前記側壁部分のうち一の側壁部分から延在している蓋部分を有しており、
前記蓋部分が、前記基部に接続されている前記側壁部分の縁部の反対側に位置する、前記側壁部分の縁部において、折り曲げ線を介して前記側壁部分それぞれに接続されている、請求項９から１１のいずれか一項に記載の連続的なブランク材。
【請求項１３】
前記切り込みの数が、少なくとも４つである、請求項９又は請求項９に従属する場合の請求項１１若しくは１２に記載の連続的なブランク材。
【請求項１４】
前記液体は、水、グリセロール、又は他の柔軟剤を含む、請求項１０又は請求項１０に従属する場合の請求項１１若しくは１２に記載の連続的なブランク材。
【請求項１５】
前記延長部分は、前記閉ループの少なくとも一部において、前記延長部分の少なくとも二重層を形成するだけの十分な長さのものである、請求項９から１４のいずれか一項に記載の連続的なブランク材。
【請求項１６】
前記少なくとも１つの側壁への隣接する側壁部分が、前記湾曲された延長部分の外部に圧し掛かって追従するために湾曲部分を形成するように曲げることができる、請求項９から１５のいずれか一項に記載の連続的なブランク材。
【請求項１７】
ベース及び側壁を有している包装箱を連続的なブランク材から形成する方法であって、前記ベース及び前記側壁が共に、製品を収容するための空間を規定している、前記方法において、
前記ブランク材が、基部と、折り曲げ線に沿って前記基部に接続されている側壁部分とを有しており、
前記側壁部分のうち少なくとも１つの側壁部が、前記側壁部分それぞれの縁部から前記基部の隣接する縁部を越えて延在している延長部分を有しており、
前記延長部分が、前記側壁部分と前記基部との間の前記折り曲げ線から離隔するように前記側壁部分の長さを延長させるサポートを形成するために、及び、前記包装箱の丸められた角部を形成するために、閉ループを形成するように湾曲可能とされるのに十分な長さとされ、
前記方法が、
屈曲される場合に前記延長部分を前記側壁の他の部分より滑らかに湾曲させるための処理によって、前記延長部分を前記側壁部分の別の部分から差別化するステップと、
閉ループを形成するために前記延長部分を巻回するステップと、
前記閉ループを固定するステップと、
前記側壁を形成するために前記側壁部分を立ち上げるステップと、
前記空間を規定するために前記側壁を前記基部に対して固定するステップと、
を含んでおり、
前記包装箱が、両面段ボール紙から形成されており、
前記処理が、前記両面段ボール紙の隣接する波形同士の間に延伸している切り込みを前記両面段ボール紙の一方の面に形成することを含んでおり、
巻回された前記延長部分が、前記包装箱の丸められた角部を形成している、方法。
【請求項１８】
ベース及び側壁を有している包装箱を連続的なブランク材から形成する方法であって、前記ベース及び前記側壁が共に、製品を収容するための空間を規定している、前記方法において、
前記ブランク材が、基部と、折り曲げ線に沿って前記基部に接続されている側壁部分とを有しており、
前記側壁部分のうち少なくとも１つの側壁部が、前記側壁部分それぞれの縁部から前記基部の隣接する縁部を越えて延在している延長部分を有しており、
前記延長部分が、前記側壁部分と前記基部との間の前記折り曲げ線から離隔するように前記側壁部分の長さを延長させるサポートを形成するために、及び、前記包装箱の丸められた角部を形成するために、閉ループを形成するように湾曲可能とされるのに十分な長さとされ、
前記方法が、
屈曲される場合に前記延長部分を前記側壁の他の部分より滑らかに湾曲させるための処理によって、前記延長部分を前記側壁部分の別の部分から差別化するステップと、
閉ループを形成するために前記延長部分を巻回するステップと、
前記閉ループを固定するステップと、
前記側壁を形成するために前記側壁部分を立ち上げるステップと、
前記空間を規定するために前記側壁を前記基部に対して固定するステップと、
を含んでおり、
前記処理は、液体を前記延長部分に適用することを含み、
巻回された前記延長部分が、前記包装箱の丸められた角部を形成している、方法。
【請求項１９】
前記少なくとも１つの側壁と前記延長部分との間に形成される折りがない、請求項１７又は１８に記載の方法。
【請求項２０】
前記ブランク材は、前記側壁部分のうち１つから延在する蓋部分を有し、前記蓋部分は、前記基部に接続される前記側壁部分の縁部の反対の前記側壁部分の前記縁部において、折り曲げ線によってそれぞれの前記側壁部分に接続され、前記方法は、前記空間を少なくとも部分的に包囲するために、前記側壁部分に対して前記蓋部分を折るステップを含む、請求項１７から１９のいずれか一項に記載の方法。
【請求項２１】
前記切り込みの数が、少なくとも４つである、請求項１７又は請求項１７に従属する場合の請求項１９若しくは２０に記載の方法。
【請求項２２】
前記液体は、水、グリセロール、又は他の柔軟剤を含む、請求項１８又は請求項１８に従属する場合の請求項１９若しくは２０に記載の方法。
【請求項２３】
前記延長部分は、前記閉ループの少なくとも一部において、前記延長部分の少なくとも二重層を形成する、請求項１７から２２のいずれか一項に記載の方法。
【請求項２４】
前記少なくとも１つの側壁への隣接する側壁部分が、前記湾曲された延長部分の外部に圧し掛かって追従するために湾曲部分を形成するように曲げられ、前記方法は、前記湾曲部分を前記湾曲された延長部分の前記外部に固定するステップを含む、請求項１７から２３のいずれか一項に記載の方法。
【国際調査報告】
2018521910.tif 000021
2018521910.tif 000022
2018521910.tif 000023